(57)【要約】【課題】  大小２種類の座薬を安価な構造で衛生的且つ容易に挿入すること。【解決手段】  座薬Ｍ１，Ｍ２を抱嵌支承する穿孔７，８を両端部に設けた挿入具本体５を有し、その一方の穿孔７の内径ｄ１が他方の穿孔８の内径ｄ２よりも大きく形成され、挿入具本体５の中央部に両穿孔７，８に連通する連通孔９が形成されており、その連通孔９に差し込んだ押し込み棒６でいずれかの穿孔７（または８）に抱嵌支承させた座薬Ｍ１（またはＭ２）を押し出す。【選択図】図１
2010279668.tif 000002
【特許請求の範囲】
【請求項１】
座薬を抱嵌支承する穿孔を両端部に設けた挿入具本体を有し、その一方の穿孔の内径が他方の穿孔の内径よりも大きく形成され、挿入具本体の中央部に両穿孔に連通する連通孔が形成されており、その連通孔に差し込んだ押し込み棒でいずれかの穿孔に抱嵌支承させた座薬を押し出すようにしてなる座薬挿入具。
【請求項２】
前記挿入具本体の外周面に周方向所定間隔をおいて複数の滑り止め用凹溝が形成されてなる請求項１に記載の座薬挿入具。
【請求項３】
前記押し込み棒が棒本体の両端に球状脱脂綿を取り付けた綿棒からなる請求項１または２に記載の座薬挿入具。
【発明の詳細な説明】
【技術分野】
【０００１】  本発明は、例えば腰痛や腹痛及び熱冷ましなどに用いる座薬を肛門に挿入するための座薬挿入具に関し、特に、大小２種類の座薬を安価な構造で衛生的且つ容易に挿入することができるようにしたものである。
【背景技術】
【０００２】  従来、図９の座薬密封状態説明図に示すように、頭部径大で下部小径の砲弾型に形成された大小２種類の座薬Ｍ１，Ｍ２が一般的に市販されており、これらの各座薬Ｍ１，Ｍ２は薄アルミシートなどからなる密封袋Ｐ内に封入されている。【０００３】  座薬Ｍ１，Ｍ２の挿入手順を説明すると、図１０の座薬挿入手順説明図に示すように、指部で密封袋Ｐを破断して各座薬Ｍ１，Ｍ２を取り出し、その各座薬Ｍ１，Ｍ２を指部で肛門に挿入する。なお、関連する技術として特許文献１に記載したものがある。
【先行技術文献】
【特許文献】
【０００４】
【特許文献１】  特開平５−２６１１５７号公報
【発明の概要】
【発明が解決しようとする課題】
【０００５】  上記従来の構成では、各座薬Ｍ１，Ｍ２を指部で肛門内に比較的強く押し込んだとしても、その肛門の括約筋による収縮圧で各座薬Ｍ１，Ｍ２が押し戻されることがあり、その各座薬Ｍ１，Ｍ２の挿入に手間がかかって面倒であると共に、指部が肛門に直接触れることから、非衛生的である。【０００６】  そこで、特許文献１に記載したように、注射器タイプの座薬挿入具を用いることが考えられるが、これでは、構造が複雑で部品点数が多いから、製作費が高くつくと共に、図９に示す一般的に市販されている座薬Ｍ１，Ｍ２の挿入には適さない。【０００７】  また、大小２種類の座薬Ｍ１，Ｍ２の両方を挿入することができる座薬挿入具は未だ提案されていない。【０００８】  本発明は、上記従来の欠点に鑑み、大小２種類の座薬を安価な構造で衛生的且つ容易に挿入することができるようにした座薬挿入具を提供することを目的としている。
【課題を解決するための手段】
【０００９】  上記目的を達成するための構成を実施の形態に対応する図面に基づいて説明すると、請求項１に記載の発明は、座薬Ｍ１，Ｍ２を抱嵌支承する穿孔７，８を両端部に設けた挿入具本体５を有し、その一方の穿孔７の内径ｄ１が他方の穿孔８の内径ｄ２よりも大きく形成され、挿入具本体５の中央部に両穿孔７，８に連通する連通孔９が形成されており、その連通孔９に差し込んだ押し込み棒６でいずれかの穿孔７（または８）に抱嵌支承させた座薬Ｍ１（またはＭ２）を押し出すようにしてなる構成を採用するものである。【００１０】  請求項２に記載の発明は、請求項１に記載の発明において、前記挿入具本体５の外周面に周方向所定間隔をおいて複数の滑り止め用凹溝１０が形成されてなる構成を採用するものである。【００１１】  請求項３に記載の発明は、請求項１または２に記載の発明において、前記押し込み棒６が棒本体６ａの両端に球状脱脂綿６ｂを取り付けた綿棒からなる構成を採用するものである。
【発明の効果】
【００１２】  請求項１に記載の発明によれば、挿入具本体５のいずれかの穿孔７，８に抱嵌支承させた座薬Ｍ１（またはＭ２）の頭部を肛門に当てがい、押し込み棒６を挿入具本体５の連通孔９に差し込むことにより、その押し込み棒６で座薬Ｍ１（またはＭ２）を肛門に所望通り容易に挿入することができ、しかも、肛門に指部が触れないから、衛生的である。【００１３】  大型座薬Ｍ１は内径ｄ１が大きい穿孔７に抱嵌支承させ、小型座薬Ｍ２は内径ｄ２が小さい穿孔８に抱嵌支承させることにより、１つの挿入具本体５で、大小２種類の座薬Ｍ１，Ｍ２をその大きさに合わせて円滑に挿入作業を行なうことができる。【００１４】  また、挿入具本体５と押し込み棒６とからなり、構造が簡単で部品点数が少ないから、製作費が安くつく。【００１５】  特に、１錠ずつ密封袋Ｐ（図９参照）に封入されている市販の座薬Ｍ１，Ｍ２を挿入するのに適している。【００１６】  請求項２に記載の発明によれば、挿入具本体５の外周面に形成した複数の滑り止め用凹溝１０により、該挿入具本体５を滑らないように確実に把持することができると共に、その挿入具本体５が軽量化及び減量化されているので、使いやすくて経済的である。【００１７】  請求項３に記載の発明によれば、押し込み棒６として一般的に市販されている綿棒を利用しており、その綿棒が安価で使い捨てされるものであるから、経済的であると共に、衛生的である。
【図面の簡単な説明】
【００１８】
【図１】  本発明の実施の一形態である座薬挿入具を示す分解斜視図である。
【図２】  同縦断面図である。
【図３】  図２のＡ−Ａ矢視図である。
【図４】  図２のＢ−Ｂ矢視図である。
【図５】  図２のＣ−Ｃ矢視図である。
【図６】  （ａ）は同大型座薬挿入手順の前段を説明する縦断面図、（ｂ）は同手順の後段を説明する縦断面図である。
【図７】  （ａ）は同小型座薬挿入手順の前段を説明する縦断面図、（ｂ）は同手順の後段を説明する縦断面図である。
【図８】  （ａ）は本発明の実施の他の形態である座薬挿入具の縦断面図、（ｂ）はＤ−Ｄ矢視図、（ｃ）は同挿入具本体の斜視図である。
【図９】  （ａ）は大型座薬密封状態説明図、（ｂ）は小型座薬密封状態説明図である。
【図１０】  従来の座薬挿入手順説明図である。
【発明を実施するための形態】
【００１９】  図１〜図７は本発明の実施の一形態である座薬挿入具を示すものであって、挿入具本体５と押し込み棒６とを有し、その押し込み棒６は、棒本体６ａの両端に球状脱脂綿６ｂを取り付けた綿棒からなっている。
【００２０】  図１〜図５に示すように、前記挿入具本体５は、硬質合成樹脂材により成形されており、該挿入具本体５の両端に奥すぼまりテーパ状穿孔７，８が形成され、その挿入具本体５の中央部に両穿孔７，８に連通する連通孔９が形成されている。
【００２１】  図２に示すように、前記一方の穿孔７は、大型座薬Ｍ１を抱嵌支承するためのものであって、その具体的寸法の一例を示すと、大型座薬Ｍ１の最大径が１２ｍｍ、最小径が９ｍｍ、長さが３６ｍｍであるとすると、一方の穿孔７の最大径ｄ１が１０〜１２ｍｍ、最小径ｔ１が６．５〜９ｍｍ、長さｈ１が２４〜３６ｍｍであって、図６（ａ）に示すように、一方の穿孔７内に大型座薬Ｍ１の下部を差し込んだときに、該下部の下端が一方の穿孔７の中央部まで達した位置で、その下部の外周面が一方の穿孔７の内周面に当接され、その大型座薬Ｍ１を不測に動かないように抱嵌支承する。
【００２２】  大型座薬Ｍ１の挿入手順を説明すると、図６（ａ）に示すように、大型座薬Ｍ１の下部を挿入具本体５の一方の穿孔７に差し込んだ後、他方の穿孔８から連通孔９に押し込み棒６を差し込み、続いて、図６（ｂ）に示すように、挿入具本体５を一方の手で把持して大型座薬Ｍ１の頭部を肛門に当てがい、他方の手で把持した押し込み棒６を押し込んで、大型座薬Ｍ１を肛門に挿入し、その後、挿入具本体５及び押し込み棒６を肛門から離間させる。
【００２３】  図２に示すように、前記他方の穿孔８は、小型座薬Ｍ２を抱嵌支承するためのものであって、その具体的寸法の一例を示すと、小型座薬Ｍ２の最大径が９ｍｍ、最小径が７ｍｍ、長さが２９ｍｍであるとすると、他方の穿孔８の最大径ｄ２が８〜９ｍｍ、最小径ｔ２が６．５〜７ｍｍ、長さｈ２が１５〜２９ｍｍであって、図７（ａ）に示すように、他方の穿孔８内に小型座薬Ｍ２の下部を差し込んだときに、該下部の下端が他方の穿孔８の中央部まで達した位置で、その下部の外周面が他方の穿孔８の内周面に当接され、その小型座薬Ｍ２を不測に動かないように抱嵌支承する。
【００２４】  小型座薬Ｍ２の挿入手順を説明すると、図７（ａ）に示すように、小型座薬Ｍ２の下部を挿入具本体５の他方の穿孔８に差し込んだ後、一方の穿孔７から連通孔９に押し込み棒６を差し込み、続いて、図７（ｂ）に示すように、挿入具本体５を一方の手で把持して小型座薬Ｍ２の頭部を肛門に当てがい、他方の手で把持した押し込み棒６を押し込んで、小型座薬Ｍ２を肛門に挿入し、その後、挿入具本体５及び押し込み棒６を肛門から離間させる。
【００２５】  図２に示すように、具体的寸法の一例を更に示すと、連通孔９の長さｈ３が１０〜１５ｍｍ、挿入具本体５の長さＨが５４〜８０ｍｍ、外径Ｄが１６〜２０ｍｍである。
【００２６】  上記構成によれば、図６及び図７に示すように、挿入具本体５のいずれかの穿孔７，８に抱嵌支承させた座薬Ｍ１（またはＭ２）の頭部を肛門に当てがい、押し込み棒６を挿入具本体５の連通孔９に差し込むことにより、その押し込み棒６で座薬Ｍ１（またはＭ２）を肛門に所望通り容易に挿入することができ、しかも、肛門に指部が触れないから、衛生的である。
【００２７】  大型座薬Ｍ１は内径ｄ１が大きい穿孔７に抱嵌支承させ、小型座薬Ｍ２は内径ｄ２が小さい穿孔８に抱嵌支承させることにより、１つの挿入具本体５で、大小２種類の座薬Ｍ１，Ｍ２をその大きさに合わせて円滑に挿入作業を行なうことができる。
【００２８】  また、挿入具本体５と押し込み棒６とからなり、構造が簡単で部品点数が少ないから、製作費が安くつく。
【００２９】  特に、１錠ずつ密封袋Ｐ（図９参照）に封入されている市販の座薬Ｍ１，Ｍ２を挿入するのに適している。
【００３０】  更に、押し込み棒６として一般的に市販されている綿棒を利用しており、その綿棒が安価で使い捨てされるものであるから、経済的であると共に、衛生的である。
【００３１】  図８は本発明の実施の他の形態である座薬挿入具を示すものであって、挿入具本体５の外周面の一方端面から他方端面の近傍までに周方向所定間隔をおいて複数（この形態では６つ）の滑り止め用凹溝１０が形成されると共に、その挿入具本体５の外周面の他方端面側に鍔部１１が残されている。上記以外の構成は図１〜図７に示す本発明の実施の一形態とほぼ同じであるから、同一部分に同一符号を付してその説明を省略する。
【００３２】  上記構成によれば、挿入具本体５の外周面に形成した複数の滑り止め用凹溝１０により、該挿入具本体５を滑らないように確実に把持することができると共に、その挿入具本体５が軽量化及び減量化されているので、使いやすくて経済的である。
【００３３】  また、鍔部１１を目印にして所望の穿孔７（または８）の位置を容易に確認することができる。
【符号の説明】
【００３４】  ５          挿入具本体
６          押し込み棒（綿棒）
６ａ        押し込み棒の棒本体
６ｂ        押し込み棒の球状脱脂綿
７，８      穿孔
９          連通孔
１０        滑り止め用凹溝
Ｍ１，Ｍ２  座薬
ｄ１        一方の穿孔の内径
ｄ２        他方の穿孔の内径
【図１】
2010279668.tif 000003
【図２】
2010279668.tif 000004
【図３】
2010279668.tif 000005
【図４】
2010279668.tif 000006
【図５】
2010279668.tif 000007
【図６】
2010279668.tif 000008
【図７】
2010279668.tif 000009
【図８】
2010279668.tif 000010
【図９】
2010279668.tif 000011
【図１０】
2010279668.tif 000012